(57)【特許請求の範囲】
【請求項１】
電動送風機が内蔵されており、下面に吸塵口を有する本体ノズル部と、
前記本体ノズル部に着脱自在に設けられており、集塵箱本体と、前記集塵箱本体に着脱自在に設けられたフィルターユニットとを有する集塵箱ユニットとを備え、
前記本体ノズル部は、前記吸塵口に設けられた回転ブラシと、前記電動送風機と前記回転ブラシとをつなぐベルトとを有しており、
前記集塵ユニットの前記ベルトと反対側の側面には取っ手部が設けられており、
前記集塵箱本体の吸気口Ａと、前記電動送風機の吸気口Ｂとを、前記本体ノズル部のほぼ幅方向に対し対角に設けた電気掃除機。
【請求項２】
前記取っ手部の形状は、前記本体ノズル部の外観形状に沿う形状とされており、かつ、前記取っ手部の下部には、前記本体ノズル部の外観より突出しない段部が設けられている請求項１に記載の電気掃除機。
【請求項３】
前記本体ノズル部の前記取っ手部側には安全装置が設けられている請求項１または２に記載の電気掃除機。
【請求項４】
前記回転ブラシは螺旋状に捻られており、前記集塵箱ユニットの前記吸気口Ａにつながる前記本体ノズル部の前記吸塵口を、螺旋状に捻られた前記回転ブラシの塵埃の流れる側に設けた請求項１〜３のうちの何れか１項に記載の電気掃除機。
【請求項５】
前記本体ノズル部にはハンドルが設けられており、前記本体ノズル部及び／または前記ハンドルに電源用電池を設けた請求項１〜４の何れか一項記載の電気掃除機。
【請求項６】
前記本体ノズル部の上面にはマド部が設けられており、前記集塵箱本体及び／または前記マド部の材料を透明材料とした請求項１〜５のうちの何れか１項記載の電気掃除機。
【請求項７】
前記本体ノズル部に電動送風機からの排気を回転ブラシ室に排気する排気循環方式を構成した請求項１〜６のうちの何れか１項に記載の電気掃除機。
【発明の詳細な説明】
【０００１】
【発明の属する技術分野】
本発明は、一般家庭用の電気掃除機に関するものである。
【０００２】
【従来の技術】
従来の電気掃除機を図１５、１６を用いて説明する。
【０００３】
従来の電気掃除機は、特開平９−１９２０５６に示されるものであり、掃除機の作業要素である電動送風機１０１、集塵箱本体１１２とフィルターユニット１１３より成る集塵箱ユニット１０２、回転ブラシ１０３を本体ノズル部１０４に集約し、本体ノズル部１０４に結合されているハンドル１０５には作業要素を有していない電気掃除機で、本体ノズル部１０４の外郭を本体上部材１０６と本体下部材１０７により構成し、作業要素である電動送風機１０１、集塵箱ユニット１０２、回転ブラシ１０３を上部材１０６と下部材１０７により支持、あるいは、保持しているものであった。この構成では、補修等の場合に本体ノズル部１０４の上部材１０６と下部材１０７を締結しているネジをすべて外さなくては補修、また、内部チェックすることができなかった。また、近年は、本体ノズル部１０４上部材１０６にはデザイン性から一体感をだすため部品の分割線が入らないようにしている。
【０００４】
また、本体ノズル部１０４内の回転ブラシ室１０８に設けられて集塵箱ユニット１０２につながる吸塵口１０９を、本体ノズル部１０４中央部に設けて、回転ブラシ１０３により塵埃を床面より掻き出し集塵箱ユニット１０２に吸い込んでいる。電動送風機１０１からの吸引通路１１０は、集塵箱ユニット１０２の後方略中央よりベルト側に設けてある。塵埃は回転ブラシ１０３により床面より掻き出され、吸塵口１０９を通り、集塵箱ユニット１０２の中に入るが電動送風機１０１からの吸引通路１１０につながる集塵箱ユニット１０２の排気口１１１と吸気口１２５が位置的にずれが少ないため塵埃が中央から堆積していき集塵箱ユニット１０２の隅部に堆積せず、集塵箱ユニット１０２には十分に塵埃が溜まっていないのに塵埃を吸い込まないことがあった。
【０００５】
また、本体スイッチ１１４は、本体ノズル部１０４の下部材に取りつけられて足ペダル１１５によりＯＮ、ＯＦＦするようになっている。本体スイッチ１１４は、電動送風機１０１に、第二のモーター１１６、また、電源である充電可能な電池１１８、および、電池１１８を充電器につなぐ充電接続部１２０にリードセンでつながっている。そして、リードセンは、複雑に配線されている。
【０００６】
また、充電可能な電池１１８と電動送風機１０１は、本体ノズル部１０４内で中央より片側に揃って位置している。
【０００７】
また、電動送風機１０１の排気は、本体ノズル部１０４の上部材１０６に設けた本体排気口１２２より排出される。本体排気口１２２には、排気フィルター１２３が取りついていて、排気より塵埃を取り除き、きれいにして機外へ出している。
【０００８】
【発明が解決しようとする課題】
しかし、上記構成では、電動送風機１０１の吸引があるところだけ集塵箱ユニット１０２に塵埃が溜まり、端の部分には塵埃が溜まらないという課題があった。
【０００９】
また、集塵箱ユニット１０２を本体ノズル部１０４の凹部１２４へ装着するのに、一方向しか最後まで挿入することができないが、間違った方向でも途中まで装着することができ、逆入れが十分でないという課題があった。
【００１０】
また、吸塵口１０９を本体ノズル部１０４の中央に設けているが、回転ブラシ１０３の回転と植毛の方向が合っておらず、集塵性能が出ないという課題があった。
【００１１】
また、集塵箱ユニット１０２の吸気口１２５が軟質部材のため、集塵箱ユニット１０２を本体ノズル部１０４の凹部１２４に装着するのに、タイト性を向上させようと、圧接させるため、装着がかたくて変形するという課題があった。
【００１２】
また、集塵箱ユニット１０２を本体ノズル部１０４の凹部１２４の底部側面に設けられた係止部１２６で保持固定するようにしているが、集塵箱ユニット１０２から塵埃が漏れ、この係止部１２６に溜まり、係止部１２６が動作しないという課題があった。
【００１３】
また、集塵箱ユニット１０２の本体ノズル部１０４への着脱用取っ手部１２７を、集塵箱ユニット１０２を上方より本体ノズル部１０４の凹部１２４に挿入するため、着脱用取っ手部１２７を集塵箱ユニット１０２の中央につける必要があり、集塵容積が少なく、また、デザイン的によくないという課題があった。
【００１４】
また、本体ノズル部１０４の中央部にある凹部に集塵箱ユニット１０２を装着する構成では、上方開口のため強度的に弱いという課題があった。
【００１５】
本発明はこれらの課題を解決するもので、使用性の向上、性能の向上、デザイン性の向上、強度アップを図ることを目的とする。
【００１６】
【課題を解決するための手段】
上記目的を達成するために、第１の手段は、電動送風機が内蔵されており、下面に吸塵口を有する本体ノズル部と、本体ノズル部に着脱自在に設けられており、集塵箱本体と、集塵箱本体に着脱自在に設けられたフィルターユニットとを有する集塵箱ユニットとを備え、本体ノズル部は、吸塵口に設けられた回転ブラシと、電動送風機と回転ブラシとをつなぐベルトとを有しており、集塵ユニットのベルトと反対側の側面には取っ手部が設けられており、集塵箱本体の吸気口Ａと、電動送風機の吸気口Ｂとを、本体ノズル部のほぼ幅方向に対し対角に設けたことである。
【００１７】
これにより、集塵箱ユニット内に塵埃が溜まるのが、集塵箱ユニットの奥側からとなり、使用者に塵埃の溜まり具合を知らせ、使い勝手のよい電気掃除機を提供する。
【００１８】
また、本体ノズル部の吸塵口に設けられた回転ブラシと、電動送風機と回転ブラシとをつなぐベルトとを有しており、集塵箱ユニットのベルトと反対の側面には取っ手部が設けられていることである。
【００１９】
これにより、デザイン性を損ねず、集塵容量を確保した電気掃除機を提供する。
【００２０】
第２の手段は、取っ手部の形状は、本体ノズル部の外観形状に沿う形状とされており、かつ、取っ手部の下部には、本体ノズル部の外観より突出しない段部が設けられていることである。
【００２１】
これにより、取っ手部を握っても、床面に手が当たらない、使用性の向上した電気掃除機を提供する。
【００２２】
第３の手段は、本体ノズル部の取っ手部側には安全装置が設けられていることである。
【００２３】
これにより、使用性を向上させた電気掃除機を提供する。
【００２４】
【発明の実施の形態】
本発明の請求項１記載の発明は、電動送風機が内蔵されており、下面に吸塵口を有する本体ノズル部と、本体ノズル部に着脱自在に設けられており、集塵箱本体と、集塵箱本体に着脱自在に設けられたフィルターユニットとを有する集塵箱ユニットとを備え、本体ノズル部は、吸塵口に設けられた回転ブラシと、電動送風機と回転ブラシとをつなぐベルトとを有しており、集塵ユニットのベルトと反対側の側面には取っ手部が設けられており、集塵箱本体の吸気口Ａと、電動送風機の吸気口Ｂとを、本体ノズル部のほぼ幅方向に対し対角に設け、集塵箱ユニット内に塵埃が溜まるのが、集塵箱ユニットの奥側からとなり、使用者に塵埃の溜まり具合を知らせ、使い勝手のよい電気掃除機を提供する。
【００２５】
また、本体ノズル部の吸塵口に設けられた回転ブラシと、電動送風機と回転ブラシとをつなぐベルトとを有しており、集塵箱ユニットのベルトと反対の側面には取っ手部が設けられている構成とし、集塵箱の取っ手部を、前記電動送風機と、回転ブラシとをつなぐベルトと反対の側面に構成し、デザイン性を損ねず、集塵容量を確保した電気掃除機を提供する。
【００２６】
本発明の請求項２記載の発明は、取っ手部の形状は、本体ノズル部の外観形状に沿う形状とされており、かつ、取っ手部の下部には、本体ノズル部の外観より突出しない段部が設けられている構成とし、取っ手部を握っても、床面に手が当たらない、使用性の向上した電気掃除機を提供する。
【００２７】
本発明の請求項３記載の発明は、本体ノズル部の取っ手部側には安全装置が設けられている構成とし、使用性を向上させた電気掃除機を提供する。
【００２８】
本発明の請求項４記載の発明は、回転ブラシは螺旋状に捻られており、集塵箱ユニットの吸気口Ａにつながる本体ノズル部の吸塵口を、螺旋状に捻られた回転ブラシの塵埃の流れる側に設けたことにより、回転ブラシの回転方向とこの螺旋状にねじられた毛ブラシにより、塵埃を運んでいき、そして吸塵口がこの塵埃が運ばれる側に設けてあるため、これにより、吸塵性能が良い電気掃除機を提供することができる。
【００２９】
本発明の請求項５記載の発明は、本体ノズル部にはハンドルが設けられており、本体ノズル部及び／またはハンドルに電源用電池を設けたことにより、電源コードがいらない使い勝手の良い電気掃除機を提供することができる。
【００３０】
本発明の請求項６記載の発明は、本体ノズル部の上面にはマド部が設けられており、集塵箱本体及び／またはマド部の材料を透明材料としたことにより、透明部材を使うことにより、集塵箱ユニット内部の塵埃の量を使用者に容易に知らせることができる。
【００３１】
本発明の請求項７記載の発明は、本体ノズル部に電動送風機からの排気を回転ブラシ室に排気する排気循環方式を構成したことにより、静音化を図り、環境に優しい電気掃除機を提供する。
【００３２】
【実施例】
（実施例１）
以下、本発明の実施例について、図面を参照しながら説明する。
【００３３】
図１から図１４に示すように、本体ノズル部４は、外郭を本体上部材６、本体下部材７、マド部３５、蓋６５、ベルトカバー５９、支持板５０で構成され、この内部に電動送風機１、集塵箱ユニット２、回転ブラシ３、安全装置１７、本体スイッチ１４、把手部２９を備えている。把手部２９にはアルミでできたハンドル５が着脱自在に取りつけられているハンドル５は、組み立て式で３ないし４のアルミパイプを結合してできている。また、ハンドル５の本体取っ手部５１は、使用者が握るところである。把手部２９と係合するハンドル５の嵌合体５２の中央には爪弾性体３０があり、把手部２９の孔部Ａ５３と合っている。
【００３４】
把手部２９の回動軸部５５の片側は、略Ｕの字形をしたバネ部材Ａ５４と合う足部が構成されている。回動軸部５５のもう一方は、本体スイッチ１４をスイッチ支持板５６に取りつけさらに、スイッチ支持板５６に回動軸部５５が挿入されている。
【００３５】
回転ブラシ室８内には、回転ブラシ３が配され、このプーリー部５８を覆うようにベルトカバー５９がついている。電動送風機１の軸６０の片側にはファン６１が圧入嵌合で取りつけられ、軸６０のもう一端にはプーリーＡ３９が取りついている。このプーリーＡ３９は中間プーリー４０とベルトＡ４１でつながっており、中間プーリー４０とプーリー部５８とはベルトＢ４２とでつながっている。
【００３６】
集塵箱ユニット２は、集塵箱本体１２とフィルターユニット１３により構成されている。また集塵箱本体１２の吸気口Ａ２５は凸部６８に囲まれており、回転ブラシ室８の吸塵口９と面で合うようになっている。
【００３７】
本体ノズル部４の前面にブラシＡ６２を、また、本体中央部の下面にブラシＢ６３を配している。また、後方にはローラー６４を備えている。
【００３８】
上記構成において動作を説明する。ハンドル５を９０度直立の状態から、ある一定の角度回動軸部５５を中心にして回転すると、本体スイッチ１４が入る状態になる。本体スイッチ１４が入ると、電動送風機１が回転を始め、この回転にともない中間プーリー４０を介して回転ブラシ３が回転する。回転ブラシ３によりかきあげられた塵埃は吸塵口９から吸気口Ａ２５を通ってフィルターユニット１３を通過せず集塵箱ユニット２内に集められる。フィルターユニット１３を通過した排気はフィルターＡ４７をも通過し、電動送風機１を通過してフィルターＢ４８を通過して回転ブラシ室８に排気する。ハンドル５を元の状態に戻すと運転は止まる。
【００３９】
集塵箱ユニット２は、集塵箱本体１２と集塵箱本体１２に着脱自在なフィルターユニット１３により構成されている。本体ノズル部４の回転ブラシ室８には回転ブラシ３が設けてあり、カーペットからの塵埃を掻き出している。また、電動送風機１の吸引力により、この塵埃が吸塵口９を通り、集塵箱ユニット２の吸気口Ａ２５、吸引通路１０を通過して、フィルターユニット１３でろ過されて、塵埃は捕獲される。
【００４０】
上記構成において、空気の流れは、吸塵口９を通過し、集塵箱本体１２内に入口を吸気口Ａ２５とし、略Ｌ字状の出口を集塵箱本体１２の吸気口Ａ２５と同じで流れの方向を９０度横にする吸引通路１０を設け、集塵箱本体１２の奥に、フィルターユニット１３と平行に空気を流すようにしている。また、電動送風機１からの吸引は、集塵箱本体１２の中央より奥側からかかるようになっている。
【００４１】
上記構成にすることにより、集塵箱ユニット２内に取り入れた空気の流れを、集塵箱ユニット２のフィルターユニット１３と平行に流すことにより、塵埃が集塵箱本体１２の奥より溜まり、使用者に塵埃の溜まり具合を知らせ、使い勝手の良い電気掃除機を提供することができる。
【００４２】
また、回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００４３】
また、図３、図７、図８に示すように、排気循環構成がある場合でも、排気循環構成がない場合でも本体ノズル部４に電源用電池４９を設け、あるいは把手部２９に電源用電池４９を設ける、あるいは、本体ノズル部４および把手部２９の両側に電源用電池４９を設けることにより、電源コードがいらない使い勝手の良い電気掃除機を提供することができる。
【００４４】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、吸塵性能が良い電気掃除機を提供することができる。
【００４５】
（実施例２）
次に図９にて説明する。上記実施例と同一構成部には同一の符号を付して説明を省略する。
【００４６】
構成を説明すると、集塵箱ユニット２は、本体ノズル部４に上方より、本体ノズル部４の凹部２４に装着される。この際に、集塵箱ユニット２と本体ノズル部４の凹部２４の四隅の４コーナーはそれぞれ同じで、一方向からしか装着することができない。
【００４７】
上記構成による動作を説明すると、装着できる状態は一ヵ所でそれ以外は、お互いにコーナーが合わない状態となる。このため、本体ノズル部４に集塵箱ユニット２が一ヵ所だけ装着でき、逆入れできない構成となり、品質を確保した電気掃除機を提供することができる。
【００４８】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００４９】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００５０】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００５１】
（実施例３）
次に図１から図５にて説明する。上記実施例と同一構成部には同一の符号を付して説明を省略する。
【００５２】
上記構成を説明すると、集塵箱ユニット２は、集塵箱本体１２と集塵箱本体１２に着脱自在なフィルターユニット１３により構成されている。本体ノズル部４の回転ブラシ室８には回転ブラシ３が設けてありカーペットからの塵埃を掻き出している。また、電動送風機１の吸引力により、この塵埃が吸塵口９を通り、集塵箱ユニット２の吸気口Ａ２５、吸引通路１０を通過して、フィルターユニット１３でろ過されて、塵埃は捕獲される。このとき、電動送風機１の吸気口Ｂ２８は、集塵箱ユニット２の吸気口Ａ２５とほぼ幅方向に対して、対角となるように設けられている。
【００５３】
上記構成において、空気の流れは、吸塵口９を通過し、集塵箱本体１２内に入口を吸気口Ａ２５とし、略Ｌ字状の出口を集塵箱本体１２の吸気口Ａ２５と同じで流れの方向を９０度横にする吸引通路１０を設け、集塵箱本体１２の奥に、フィルターユニット１３と平行に空気を流すようにしている。また、電動送風機１からの吸引は、集塵箱本体１２の奥側からかかるようになっているため塵埃は集塵箱本体１２の奥から溜まっていく。
【００５４】
上記構成にすることにより、集塵箱ユニット２内に取り入れた空気の流れを、集塵箱ユニット２のフィルターユニット１３と平行に流すことにより、塵埃が集塵箱本体１２の奥より溜まり、使用者に塵埃の溜まり具合を知らせ、使い勝手の良い電気掃除機を提供することができる。
【００５５】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００５６】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００５７】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００５８】
（実施例４）
次に図１から図６にて説明する。上記実施例と同一構成部には同一の符号を付して説明を省略する。
【００５９】
上記構成を説明すると、回転ブラシ室８内に回転ブラシ３を配し、この塵埃を集塵箱ユニット２に送る孔が吸塵口９であり、集塵箱ユニット２の吸気口Ａ２５は、凸部６８に囲まれており、この凸部６８が吸塵口９に直接当たる。
【００６０】
上記動作を説明すると、集塵箱ユニット２を本体ノズル部４内に装着するとき、フィルターユニット１３は弾性体にろ紙を取りつけているものであるが、集塵箱本体１２の吸気口Ａ２５が吸塵口９と当たると、フィルターユニット１３の弾性体が本体ノズル部４と圧接してたわむ。このため、吸気口Ａ２５の凸部６８と、吸塵口９は面当たりしてタイトを確実にする。また、フィルターユニット１３と本体ノズル部４とも圧接してタイトを確実にして、部品点数の少ない性能の良い電気掃除機を提供することができる。
【００６１】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００６２】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００６３】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００６４】
（実施例５）
次に図１０にて説明する。上記実施例と同一構成部には同一の符号を付して説明を省略する。
【００６５】
構成を説明すると、集塵箱ユニット２は、本体ノズル部４に上方より、本体ノズル部４の凹部２４に装着される。この際に、集塵箱ユニット２と本体ノズル部４の凹部２４の４コーナーはそれぞれ同じで、一方向からしか装着することができない。また、集塵箱ユニット２と本体ノズル部４との固定、保持については、集塵箱ユニット２の上面を延設した部分に設けた爪部６７と本体ノズル部４上面に設けられた保持部３１が係合する。
【００６６】
上記構成での動作を説明すると、集塵箱ユニット２を本体ノズル部４の凹部２４に装着するのに、集塵箱ユニット２の上面を延設した部分に設けられた爪部６７が本体ノズル部４の上面に設けられた保持部３１、集塵箱ユニット２がガイドとなって装着する。外す場合も、集塵箱ユニット２がガイドとなって上方へ引き出せる。このとき、爪部６７が目視確認でき、また、上面にあるため、塵埃の噛み込み等もなく、品質の安定した、集塵箱ユニット２の着脱が容易な電気掃除機を提供することができる。
【００６７】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００６８】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００６９】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００７０】
（実施例６）
次に図１０から図１１にて説明する。上記実施例と同一構成部には同一の符号を付して説明を省略する。
【００７１】
構成を説明すると、集塵箱ユニット２は、本体ノズル部４に上方より、本体ノズル部４の凹部２４に装着される。この際に、集塵箱ユニット２と本体ノズル部４の凹部２４の４コーナーはそれぞれ同じで、一方向からしか装着することができない。また、集塵箱ユニット２と本体ノズル部４との固定、保持については、１つは、集塵箱ユニット２の上面を延設した部分に設けた爪部６７と本体ノズル部４上面に設けられた保持部３１が係合し、もう一つは、本体ノズル部４のベルト室３２と反対側に保持部３１を設け、これに対応する爪部６７を集塵箱ユニット２の取っ手部２７に設けている。
【００７２】
上記構成による動作を説明すると、集塵箱ユニット２を本体ノズル部４に取りつけるのは、本体ノズル部４の凹部２４に上から装着すれば、集塵箱ユニット２自体がガイドになって、集塵箱ユニット２が本体ノズル部４の凹部に装着する。次に、集塵箱ユニット２を本体ノズル部４の凹部２４から取り外す場合は、集塵箱ユニット２の取っ手部２７を上方に引き上げることにより、取っ手部２７に設けられた爪部６７が保持部３１より外れ、また、ベルト室３２の上面に設けられた爪部６７も、集塵箱ユニット２がベルト室３２の上面を回動軸として回動することにより保持部３１より外れる。このように、ベルト室３２の反対に集塵箱ユニット２の取っ手部２７を設け、ベルト室３２上面で集塵箱ユニット２を回動させることにより、取外しの簡単な、使用性の良い電気掃除機を提供することができる。
【００７３】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００７４】
また、図３、図７、図８に示すように、排気循環構成がある場合でも、排気循環構成がない場合でも本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００７５】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００７６】
（実施例７）
次に図１から図３にて説明する。上記実施例と同一構成部には同一の符号を付して説明を省略する。
【００７７】
構成を説明すると、電動送風機１と、集塵箱ユニット２と、回転ブラシ３とを本体ノズル部４に配し、電動送風機１のプーリーＡ３９と中間プーリー４０をつなぐベルトＡ４１また、中間プーリー４０と回転ブラシ３をつなぐベルトＢ４２をベルト室３２にもち、電動送風機１の回転を伝達している。フィルターＢ４８を回転ブラシ室８に面して設けている。
【００７８】
上記構成において動作を説明すると、回転ブラシ３によりかきあげられた塵埃は吸塵口９から吸気口Ａ２５を通ってフィルターユニット１３を通過せず集塵箱ユニット２内に集められる電動送風機１からの排気を本体ノズル部４から機外に排出する排気孔を持たないため、フィルターユニット１３を通過した排気はフィルターＡ４７をも通過し、電動送風機１を通過してフィルターＢ４８を通過して回転ブラシ室８に排気する排気循環構成をとっている。このため、ベルト室３２を排気循環の通路として利用し、ベルト、プーリーには、排気を当てて塵埃が付着しないようにし、また、外部から塵埃が侵入しないようにしている。また、回転ブラシ３のある回転ブラシ室８に通路が面しているが、フィルターＢ４８を設けて回転ブラシ３にかきあげられた塵埃が侵入しないように防御している。また、ベルト室３２を排気循環通路としたため、ほかに排気循環通路を設ける事なく、集塵箱ユニット２の大きさ、容量を確保し、集塵箱ユニット２の逆入れ防止を行い、さらに、外観を大きくすることなくコンパクトにすることができる。
【００７９】
上記構成にすることにより、音の静かな、環境に優しい、使用性を向上し、さらに、軽量化を図った電気掃除機を提供することができる。
【００８０】
また、図３、図７、図８に示すように、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００８１】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００８２】
（実施例８）
次に図１から図３と図１２にて説明する。上記実施例と同一構成部には同一の符号を付して説明を省略する。
【００８３】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成した。
【００８４】
上記構成において動作を説明すると、本体上部材６とマド部３５、あるいは、本体下部材７とマド部３５とで囲まれた場所を構成するのは、本体正面からの衝撃によりこの囲まれた場所がリブのズレ等で動きにくくなるため、本体上部材６、もしくは、本体下部材７により構成し、マド部３５を付けることにより上面の補強を行い、また、透明部材を使うことにより、集塵箱ユニット２の内部の塵埃の量を使用者に知らせることができる。
【００８５】
本発明は、上記構成にすることにより、本体ノズル部４の強度アップを図り、集塵箱ユニット２の内部を見えるようにして使い勝手の良い電気掃除機を提供することができる。
【００８６】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００８７】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００８８】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００８９】
（実施例９）
次に図１から図６にて説明する。上記実施例と同一構成部には同一の符号を付して説明を省略する。
【００９０】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成した。
【００９１】
上記構成において動作を説明すると、本体上部材６とマド部３５、あるいは、本体下部材７とマド部３５とで囲まれた場所を構成するのは、本体正面からの衝撃によりこの囲まれた場所がリブのズレ等で動きにくくなるため、本体上部材６、もしくは、本体下部材７により構成し、マド部３５を付けることにより上面の補強を行い、また、マド部３５に一個、もしくは、複数個の孔部３６を設け、製品上面から集塵箱ユニット２の内部が見えるようにして使用者に知らせることができ、使い勝手の良い電気掃除機を提供することができる。
【００９２】
上記構成にすることにより、本体ノズル部４の強度アップを図り、集塵箱ユニット２の内部を見えるようにして使い勝手の良い電気掃除機を提供することができる。
【００９３】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００９４】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【００９５】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【００９６】
（実施例１０）
次に図１から図３と図１３にて説明する。上記実施例と同一構成部には同一の符号を付して説明を省略する。
【００９７】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成し、マド部３５には全幅にわたる孔部３６を設け、この孔部３６には、略円弧状にたち壁３７がついており、第二のハンドルとなっている。また、集塵箱ユニット２は透明材料でできていて、集塵箱ユニット２の内部が見えるようになっている。
【００９８】
上記構成での動作を説明すると、たち壁３７がマド部３５のまわりを回っており、使用者がこのたち壁３７を掴み、持ち運びすることができ、また、階段掃除等で、このたち壁３７を掴み、ステアリングハンドルとすることができ、使い勝手の良い、また、透明部材で集塵箱ユニット２を作るため、集塵箱ユニット２の内部が見え、使用性を向上させた電気掃除機を提供することができる。
【００９９】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１００】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【０１０１】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【０１０２】
（実施例１１）
次に図１から図３と図１４にて説明する。上記実施例と同一構成部には同一の符号を付して説明を省略する。
【０１０３】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成し、集塵箱ユニット２の少なくとも１つの側壁３８を取っ手部２７から先端部４３に対してテーパーを設け、本体ノズル部４にも同様のテーパーを設けた。
【０１０４】
上記構成において動作を説明すると、本体上部材６とマド部３５、あるいは、本体下部材７とマド部３５とで囲まれた場所を構成し、この囲まれた壁を集塵箱ユニット２のテーパーにあわせて嵌合させることにより、集塵箱ユニット２の構成部品であるフィルターユニット１３の軟質部材が、常時装着するのに擦れるわけではなく、最後のきめのときに当たるだけであり、集塵箱ユニット２の装着性を向上させ、使い勝手の良い電気掃除機を提供することができる。
【０１０５】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１０６】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【０１０７】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【０１０８】
（実施例１２）
次に図１から図５にて説明する。上記実施例と同一構成部には同一の符号を付して説明を省略する。
【０１０９】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成し、集塵箱ユニット２の上面、および、下面の挿入方向に対して平行に、少なくとも１本以上のリブ４４を集塵箱ユニット２、もしくは、本体上部材６とマド部３５もしくは、本体下部材７とマド部３５に設けた。
【０１１０】
上記構成において動作を説明すると、本体上部材６とマド部３５、あるいは、本体下部材７とマド部３５とで囲まれた場所を構成し、この囲まれた場所に集塵箱ユニット２の外郭を本体上部材６とマド部３５もしくは、本体下部材７とマド部３５に面当てしてするのではなく、リブ４４当てにして抵抗を少なくして、操作性を軽くし、傷つきの少ない電気掃除機を提供することができる。
【０１１１】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１１２】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【０１１３】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供する。
【０１１４】
（実施例１３）
次に図１から図５にて説明する。上記実施例と同一構成部には同一の符号を付して説明を省略する。
【０１１５】
構成を説明すると、集塵箱ユニット２を本体ノズル部４内に配し、本体上部材６とマド部３５もしくは、本体下部材７とマド部３５で囲んだ場所に、集塵箱ユニット２を横引き出し式に構成し、集塵箱ユニット２の取っ手部２７の形状を外観に沿う形状とし、かつ、取っ手部２７下に突部４５を設けた。
【０１１６】
上記構成において動作を説明すると、取っ手部２７に指をかけて集塵箱ユニット２を開口部４６から引き出すのに、突部４５が手の側面に当たり、手が床面に触れて擦ることを防止する役目をしており、使い勝手の良い電気掃除機を提供することができる。
【０１１７】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１１８】
また、図３、図７、図８に示すように、排気循環構成がない場合でも、排気循環構成がある場合でも本体ノズル部４に電源用電池４９を設け、電源コードがいらない使い勝手の良い電気掃除機を提供する。
【０１１９】
また、図３、図７、図８に示すように、排気循環構成がある場合でも、排気循環構成がない場合でも、把手部２９に電源用電池４９を設け、あるいは本体ノズル部４および把手部２９の両側に電源用電池４９を設けることにより、電源コードがいらない使い勝手の良い電気掃除機を提供することができる。
【０１２０】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【０１２１】
（実施例１４）
次に図１から図５にて説明する。上記実施例と同一構成部には同一の符号を付して説明を省略する。
【０１２２】
構成を説明すると、集塵箱ユニット２を本体ノズル部４内に配し、本体上部材６とマド部３５もしくは、本体下部材７とマド部３５で囲んだ開口部４６に、集塵箱ユニット２を横引き出し式に構成し、安全装置１７を開口部４６の近傍に設けた。
【０１２３】
上記構成において動作を説明すると、回転ブラシ３がカーペットの端等をかんでロックすると、安全装置１７が働く。安全装置１７は手動復帰形であり、使用者は安全装置１７のボタンを押して解除するのであるが、この安全装置１７を開口部４６の近傍に持ってくることにより、使用者の扱うものを集中化して使いやすい電気掃除機を提供する。
【０１２４】
また、同様にして回転ブラシ３によりかきあげられた塵埃は吸塵口９から吸気口Ａ２５を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１２５】
また、図３、図７、図８に示すように、排気循環構成がある場合でも、排気循環構成がない場合でも、本体ノズル部４に電源用電池４９を設け、あるいは把手部２９に電源用電池４９を設ける、あるいは本体ノズル部４および把手部２９の両側に電源用電池４９を設けることにより、電源コードがいらない使い勝手の良い電気掃除機を提供することができる。
【０１２６】
また、回転ブラシ３は、螺旋状にねじられ、回転ブラシ室８内の吸塵口９は、回転ブラシ３の回転方向とこの螺旋状にねじられた毛ブラシにより、塵埃を運んでいく。このため、吸塵口９は、この塵埃が運ばれる側に設けてある。これにより、集塵性能が良い電気掃除機を提供することができる。
【０１２７】
【発明の効果】
以上のように本発明の請求項１記載の発明によれば、電動送風機が内蔵されており、下面に吸塵口を有する本体ノズル部と、本体ノズル部に着脱自在に設けられており、集塵箱本体と、集塵箱本体に着脱自在に設けられたフィルターユニットとを有する集塵箱ユニットとを備え、本体ノズル部は、吸塵口に設けられた回転ブラシと、電動送風機と回転ブラシとをつなぐベルトとを有しており、集塵ユニットのベルトと反対側の側面には取っ手部が設けられており、集塵箱本体の吸気口Ａと、電動送風機の吸気口Ｂとを、本体ノズル部のほぼ幅方向に対し対角に設け、集塵箱ユニット内に塵埃が溜まるのが、集塵箱ユニットの奥側からとなり、使用者に塵埃の溜まり具合を知らせ、使い勝手のよい電気掃除機を提供する。
【０１２８】
また、本体ノズル部の吸塵口に設けられた回転ブラシと、電動送風機と回転ブラシとをつなぐベルトとを有しており、集塵箱ユニットのベルトと反対の側面には取っ手部が設けられている構成とし、集塵箱の取っ手部を、前記電動送風機と、回転ブラシとをつなぐベルトと反対の側面に構成し、デザイン性を損ねず、集塵容量を確保した電気掃除機を提供する。
【０１２９】
本発明の請求項２記載の発明は、取っ手部の形状は、本体ノズル部の外観形状に沿う形状とされており、かつ、取っ手部の下部には、本体ノズル部の外観より突出しない段部が設けられている構成とし、取っ手部を握っても、床面に手が当たらない、使用性の向上した電気掃除機を提供する。
【０１３０】
本発明の請求項３記載の発明は、本体ノズル部の取っ手部側には安全装置が設けられている構成とし、使用性を向上させた電気掃除機を提供する。
【０１３１】
本発明の請求項４記載の発明は、回転ブラシは螺旋状に捻られており、集塵箱ユニットの吸気口Ａにつながる本体ノズル部の吸塵口を、螺旋状に捻られた回転ブラシの塵埃の流れる側に設けたことにより、回転ブラシの回転方向とこの螺旋状にねじられた毛ブラシにより、塵埃を運んでいき、そして吸塵口がこの塵埃が運ばれる側に設けてあるため、これにより、吸塵性能が良い電気掃除機を提供することができる。
【０１３２】
本発明の請求項５記載の発明は、本体ノズル部にはハンドルが設けられており、本体ノズル部及び／またはハンドルに電源用電池を設けたことにより、電源コードがいらない使い勝手の良い電気掃除機を提供することができる。
【０１３３】
本発明の請求項６記載の発明は、本体ノズル部の上面にはマド部が設けられており、集塵箱本体及び／またはマド部の材料を透明材料としたことにより、透明部材を使うことにより、集塵箱ユニット内部の塵埃の量を使用者に容易に知らせることができる。
【０１３４】
本発明の請求項７記載の発明は、本体ノズル部に電動送風機からの排気を回転ブラシ室に排気する排気循環方式を構成したことにより、静音化を図り、環境に優しい電気掃除機を提供する。
【図面の簡単な説明】
【図１】  本発明の実施例を示す電気掃除機の斜視図
【図２】  同電気掃除機の底面図
【図３】  同電気掃除機の横断面図
【図４】  同電気掃除機の側面図
【図５】  同電気掃除機の集塵箱の斜視図
【図６】  同電気掃除機の要部断面図
【図７】  同電気掃除機の要部断面図
【図８】  同電気掃除機の要部断面図
【図９】  同電気掃除機の斜視図
【図１０】  同電気掃除機の斜視図
【図１１】  同電気掃除機の断面図
【図１２】  同電気掃除機の斜視図
【図１３】  同電気掃除機の要部断面図
【図１４】  同電気掃除機の集塵箱斜視図
【図１５】  同従来の電気掃除機の斜視図
【図１６】  従来の電気掃除機の断面図
【符号の説明】
１    電動送風機
２    集塵箱ユニット
３    回転ブラシ
４    本体ノズル部
６    本体上部材
７    本体下部材
９    吸塵口
１０  吸引通路
１２  集塵箱本体
１３  フィルターユニット
１７  安全装置
４９  電源用電池
２４  凹部
２５  吸気口Ａ
２７  取っ手部
２８  吸気口Ｂ
３５  マド部
３６  孔部
３７  壁
４３  先端部
４４  リブ
４６  開口部
６７  爪部
６８  凸部
【図１】
0004507352.tif 000002
【図２】
0004507352.tif 000003
【図３】
0004507352.tif 000004
【図４】
0004507352.tif 000005
【図５】
0004507352.tif 000006
【図６】
0004507352.tif 000007
【図７】
0004507352.tif 000008
【図８】
0004507352.tif 000009
【図９】
0004507352.tif 000010
【図１０】
0004507352.tif 000011
【図１１】
0004507352.tif 000012
【図１２】
0004507352.tif 000013
【図１３】
0004507352.tif 000014
【図１４】
0004507352.tif 000015
【図１５】
0004507352.tif 000016
【図１６】
0004507352.tif 000017